(57)【要約】【課題】本発明は、ベースに対してスライド可能なディスプレイ部を有する電子装置を提供することを目的とする。【解決手段】本発明に係る電子装置は、ベースと、ディスプレイ部を設置する上カバーと、を備える。ベースの両側には、２つのスライド部品がそれぞれスライド可能に装着され、上カバーは２つのスライド部品に回転可能にそれぞれ装着され、上カバーには伝送線を装着する軸部が装着され、伝送線の両端はディスプレイ部及びベースにそれぞれ電気的に接続される。【選択図】図１
2014174989.tif 000002
【特許請求の範囲】
【請求項１】
ベースと、
ディスプレイ部を設置する上カバーと、
を備えてなる電子装置であって、
前記ベースの両側には、２つのスライド部品がそれぞれスライド可能に装着され、前記上カバーは前記２つのスライド部品に回転可能にそれぞれ装着され、前記上カバーには伝送線を装着する軸部が装着され、前記伝送線の両端は前記ディスプレイ部及び前記ベースにそれぞれ電気的に接続されることを特徴とする電子装置。
【請求項２】
前記伝送線は第一部及び第二部を備え、前記第二部は前記ディスプレイ部に接続され、前記第一部は前記軸部に巻きつき、且つ前記ベースに接続され、前記軸部には更に両脚部を備えたスプリングが装着され、前記スプリングの前記両脚部は前記軸部及び前記上カバーにそれぞれ固定されることを特徴とする請求項１に記載の電子装置。
【請求項３】
前記ベースの両側には、２つのレールがそれぞれ設置され、各前記レールにはスライド溝が設けられ、各前記スライド溝は対応する前記レールの第一側部の下部に開口を備え、前記第一側部において前記開口の上方にはブロック部がそれぞれ形成され、各前記スライド部品は、前記スライド溝にスライド可能に収容され且つ前記ブロック部にブロックされるスライド部と、対応する前記開口にスライド可能に収容される連接板と、を備えることを特徴とする請求項１又は２に記載の電子装置。
【請求項４】
各前記レールは更に前記第一側部と反対の第二側部を備え、前記第二側部の両端には、前記スライド溝と連通する第一定位孔及び第二定位孔がそれぞれ設けられ、前記第一定位孔には前記スライド溝まで突出する又は前記スライド溝から退出することができる第一定位柱が装着され、前記第二定位孔には前記スライド溝まで突出する又は前記スライド溝から退出することができる第二定位柱が装着され、前記ベースは後壁及び前壁を備え、前記スライド部品の前記スライド部は前記第一定位柱と前記後壁との間にそれぞれ挟まれ、前記ディスプレイ部を第一位置に定位させ、前記スライド部品の前記スライド部は前記第二定位柱と前記前壁との間にそれぞれ挟まれ、前記ディスプレイ部を第二位置に定位させることを特徴とする請求項３に記載の電子装置。
【請求項５】
各前記スライド部品は前記連接板に連接される装着板を備え、前記装着板には前記上カバーの両側にそれぞれ回転可能に挿入される回転軸がそれぞれ突設されていることを特徴とする請求項３又は４に記載の電子装置。
【発明の詳細な説明】
【技術分野】
【０００１】
本発明は、ディスプレイ部を有する電子装置に関するものである。
【背景技術】
【０００２】
従来の技術において、ノートパソコンのディスプレイ部はベースに対して回転可能であるが、ベースに対してスライドすることができないため、ディスプレイ部とユーザとの距離を調節することができず、不便である。
【発明の概要】
【発明が解決しようとする課題】
【０００３】
本発明の目的は、前記問題を解決し、ベースに対してスライド可能なディスプレイ部を有する電子装置を提供することである。
【課題を解決するための手段】
【０００４】
上記目的を達成するために、本発明に係る電子装置は、ベースと、ディスプレイ部を設置する上カバーと、を備える。前記ベースの両側には、２つのスライド部品がそれぞれスライド可能に装着され、前記上カバーは前記２つのスライド部品に回転可能にそれぞれ装着され、前記上カバーには伝送線を装着する軸部が装着され、前記伝送線の両端は前記ディスプレイ部及び前記ベースにそれぞれ電気的に接続される。
【発明の効果】
【０００５】
本発明に係る電子装置のディスプレイ部は、ベースにスライド可能に装着されるスライド部品に装着されるので、ベースに対してスライドすることができる。
【図面の簡単な説明】
【０００６】
【図１】本発明の実施形態に係る電子装置の分解斜視図である。
【図２】図１に示す電子装置のＩＩ部分の拡大図である。
【図３】図１に示す電子装置のスライド部品の拡大図である。
【図４】図１に示す電子装置の組立図であり、ディスプレイ部が第一位置に位置する状態を示す図である。
【図５】図４に示す電子装置の別の視角から見た組立図であり、ディスプレイ部が第二位置に位置する状態を示す図である。
【発明を実施するための形態】
【０００７】
図１〜図３に示したように、本発明の実施形態に係る電子装置は、ベース１０と、上カバー２０と、上カバー２０の前側の中央（ベース１０に面する側）に装着されたディスプレイ部２１と、を備える。ディスプレイ部２１は、タッチパネルである。
【０００８】
ベース１０は、下カバー１１と、下カバー１１に装着される本体１２と、２つの細長いレール１３と、を備える。各レール１３は、平行であり且つ反対の両側にそれぞれ位置する第一側部１３１及び第二側部１３２を備える。各レール１３の中央部には、レール１３の両端を貫通するスライド溝１３８が設けられている。スライド溝１３８は、第一側部１３１において第一側部１３１の下部及び第一側部１３１の両端を貫通する開口１３４を備える。これにより、第一側部１３１の開口１３４の上方には、ブロック部１３３が形成されている。図１において、レール１３の第二側部１３２のスライド溝１３８の両端に隣接する箇所には、スライド溝１３８に連通する第一定位孔１３６（後方に位置する）及び第二定位孔１３７（前方に位置する）がそれぞれ設けられている。また、本体１２の後側には、第一通孔１９が設けられている。
【０００９】
第一定位孔１３６には第一定位柱８０が挿入されており、この第一定位柱８０は押圧されるとスライド溝１３８から退出し、押圧されない場合、弾性力によってスライド溝１３８まで突出している。また第二定位孔１３７には第二定位柱９０が挿入されており、この第二定位柱９０は押圧されるとスライド溝１３８から退出し、押圧されない場合、弾性力によってスライド溝１３８まで突出している。
【００１０】
各レール１３には、スライド部品４０がスライド可能に装着される。各スライド部品４０は、連接板４１と、連接板４１の一端から連接板４１に対して垂直に上方へ延伸するスライド部４２と、連接板４１の他端に連接板４１に対して垂直に連接された装着板４３と、を備える。装着板４３の長さは、スライド部４２の長さより長い。装着板４３のスライド部４２に面する側の上端には、回転軸４３１が突設されている。
【００１１】
上カバー２０の両側の下部には、収容孔２０１がそれぞれ設けられている。上カバー２０の前側の下部には、上カバー２０の前面、後面及び底端を貫通する貫通孔２０２が設けられている。貫通孔２０２は、対向する２つの側壁２１０及び上壁２１２を有する。側壁２１０には、固定孔２０３がそれぞれ設けられ、上壁２１２には第二通孔２０４が設けられている。
【００１２】
軸部７０には、互いに離れるように延伸した両脚部を備えたスプリング７１が装着されており、また、軸部７０の両端は、固定孔２０３にそれぞれ回転可能に挿入されるため、軸部７０は貫通孔２０２内で回転可能である。スプリング７１の両脚部は、軸部７０及び上カバー２０にそれぞれ固定される。
【００１３】
軸部７０には、更に伝送線７５が装着されており、伝送線７５は、第一部７５１と、第二部７５２と、連接部７５３と、を備える。第一部７５１及び第二部７５２は、連接部７５３の両側から互いに反対の方向にそれぞれ延出している。軸部７０に伝送線７５が装着された際、第一部７５１及び連接部７５３は軸部７０に巻きついている。この際、第一部７５１は軸部７０の後方に位置し、第二部７５２は軸部７０の前方に位置する。第一部７５１は第一通孔１９を挿通して本体１２内の回路に電気的に接続され、第二部７５２は第二通孔２０４を挿通して、ディスプレイ部２１に電気的に接続される。
【００１４】
図４及び図５に示したように、電子装置を組み立てる際、先ず、スライド部品４０のスライド部４２を、レール１３の後端からスライド溝１３８にそれぞれスライド可能に収容し、連接板４１を、対応する開口１３４にそれぞれスライド可能に収容させる。この際、スライド部４２はブロック部１３３にブロックされるので、開口１３４を通ってスライド溝１３８から離脱しない。次いで、本体１２及びレール１３を下カバー１１上且つ下カバー１１の前壁１１０と後壁１１２との間に装着する。この際、レール１３の第二側部１３２は本体１２の両側にそれぞれ当接される。レール１３の前端は下カバー１１の前壁１１０にブロックされ、レール１３の後端は下カバー１１の後壁１１２にブロックされるので、スライド部品４０は、レール１３の両端を通ってスライド溝１３８から離脱しない。各スライド部４２が第一定位柱８０と下カバー１１の後壁１１２との間にそれぞれ挟まれ、第一位置に位置する場合、各スライド部品４０は前壁１１０に向かってスライドできない。次いで、回転軸４３１を、収容孔２０１にそれぞれ回転可能に挿入して、ディスプレイ部２１をベース１０に回転可能に装着する。
【００１５】
電子装置を使用する際、ベース１０に対して上カバー２０を回転すればよい。電子装置を前壁１１０に向かってスライドさせる場合、若干大きな力によってスライド部品４０をレール１３に沿って前壁１１０に向かってスライドさせると、スライド部４２は、対応する第一定位柱８０までそれぞれ摺動して、第一定位柱８０を対応する第一定位孔１３６内に挿入させる（すなわち、第一定位柱８０をスライド溝１３８から退出させる）。各スライド部品４０を引き続きスライドさせると、ディスプレイ部２１もこれに連動して前壁１１０に向かって移動し、伝送線７５の第一部７５１は軸部７０から解放され、軸部７０は回転して、スプリング７１の両脚部を弾性変形させる。これにより、ディスプレイ部２１とベース１０との間で流れる信号は中断されない。各スライド部４２が第二定位柱９０までそれぞれ摺動すると、第二定位柱９０は第二定位孔１３７に挿入される（すなわち、第二定位柱９０をスライド溝１３８から退出させる）。スライド部品４０が第二定位柱９０をそれぞれ乗り越えると、第二定位柱９０は対応する第二定位孔１３７から突出し、対応するスライド部４２をそれぞれブロックする。即ち、スライド部４２は第二定位柱９０と下カバー１１の前壁１１０との間にそれぞれ挟まれて、第二位置に位置するので、後壁１１２に向かってスライドできない。スライド部品４０を第一位置に戻すと、軸部７０は逆回転し、スプリング７１の両脚部は弾性復帰して、第一部７５１を再び軸部７０に巻きつける。
【００１６】
他の実施形態において、第一定位柱８０及び第二定位柱９０は省略することができる。この場合、スライド部品４０は摩擦力によって対応するスライド溝１３８内に定位される。
【符号の説明】
【００１７】
１０  ベース
１１  下カバー
１１０  前壁
１１２  後壁
１２  本体
１３  レール
１３１  第一側部
１３２  第二側部
１３３  ブロック部
１３４  開口
１３６  第一定位孔
１３７  第二定位孔
１３８  スライド溝
１９  第一通孔
２０  上カバー
２０１  収容孔
２０２  貫通孔
２０３  固定孔
２０４  第二通孔
２１０  側壁
２１２  上壁
２１  ディスプレイ部
４０  スライド部品
４１  連接板
４２  スライド部
４３  装着板
４３１  回転軸
７０  軸部
７１  スプリング
７５  伝送線
７５１  第一部
７５２  第二部
７５３  連接部
８０  第一定位柱
９０  第二定位柱
【図１】
2014174989.tif 000003
【図２】
2014174989.tif 000004
【図３】
2014174989.tif 000005
【図４】
2014174989.tif 000006
【図５】
2014174989.tif 000007